(57)【特許請求の範囲】
【請求項１】
画像情報を読み取る画像読取り手段からシート原稿を原稿排紙トレイ上に排紙する排紙手段を有する排紙装置において、
前記排紙手段は、
駆動側の少なくとも３つの排紙ローラと、
該排紙ローラに圧接して従動回転する少なくとも３つの排紙コロとを有し、
該排紙コロのうちの中央部のコロには、前記排紙ローラと当接しない位置に突起部を形成するとともに、中央部のコロの摩擦係数より側端部のコロの摩擦係数を小さく形成した、ことを特徴とする排紙装置。
【請求項２】
前記側端部のコロは、表面が滑らかに形成されている、ことを特徴とする請求項１記載の排紙装置。
【請求項３】
前記突起部は、撓んでシート原稿になじみ易いように薄肉に形成されている、ことを特徴とする請求項１記載の排紙装置。
【請求項４】
前記中央部のコロはゴム製であり、前記突起部は該中央部のコロと一体で形成されていることを特徴とする請求項１乃至３のいずれか１項に記載の排紙装置。
【請求項５】
前記排紙コロは、前記シート原稿の搬送方向の中央に対して左右対称に配設されている、ことを特徴とする請求項１記載の排紙装置。
【請求項６】
シート原稿の画像を読取る画像読取り手段と、該画像読取り手段によって画像が読み取られたシート原稿を排紙する請求項１乃至請求項５のいずれか１項に記載の排紙装置と、前記画像読取り手段が読み取った画像信号に基づいて画像形成する画像形成部とを備えた、ことを特徴とする画像形成装置。
【発明の詳細な説明】
【０００１】
【発明の属する技術分野】
本発明は、複写機やファクシミリなどの画像読取り装置に係り、画像読取り手段で読み取られたシート原稿を排紙する排紙装置およびこれを備えた画像形成装置に関するものである。
【０００２】
【従来の技術】
従来の画像読取り装置は、シート原稿の読取りを行う画像読取り手段としてのスキャナー部と、このスキャナー部の近傍に配置され、画像が読み取られたシート原稿を排紙する排紙手段とを備えた構成で、このうちの排紙手段は、駆動軸に軸支される複数の排紙ローラと、この複数の排紙ローラに対応して当接配置され、従動軸に軸支される複数の排紙コロとを備えている。
【０００３】
【発明が解決しようとする課題】
しかしながら、従来の排紙装置は上述のように構成されているが、排紙コロを通過するシート原稿のサイズによっては排紙コロに求める特性が異なる場合がある。例えば、読取り対象原稿の最大サイズをＡ３とし、このＡ３のシート原稿を縦長にした状態で画像読取りを行う場合、３ないし４組の排紙ローラと排紙コロとを配置すると、必ずシート原稿の側端部より中央側に配置される内側排紙コロには、シート原稿を押し出すための突起部を形成する必要がある。
【０００４】
また、シート原稿の幅方向の端部が、所定間隔、隔てて配設される複数の排紙コロのうちの外側の排紙コロの幅内に位置する場合は、外側２個の排紙コロに原稿排紙トレイ上に排出されたシート原稿の後端角部が引っ掛かり、シート原稿に角折れやジャムが起こってしまう。
【０００５】
しかしながら、読取り対象原稿の最小サイズの幅より内側にだけ、駆動側の排紙ローラと、従動側の排紙コロとを有する排紙装置の場合は、シート原稿の後端角部が引っ掛かりにくくなるが、大きなサイズの原稿が斜行するという問題点がある。
【０００６】
本発明は、上記のような問題点を解決するためになされたもので、シート原稿の画像読取り手段よりの排紙時に、シート原稿の後端角部が引っ掛からず、斜行を起こさないようにした排紙装置およびこれを備えた画像形成装置を提供することを目的とする。
【０００７】
【課題を解決するための手段】
本発明は、画像情報を読み取る画像読取り手段からシート原稿を原稿排紙トレイ上に排紙する排紙手段を有する排紙装置において、前記排紙手段は、駆動側の少なくとも３つの排紙ローラと、該排紙ローラに圧接して従動回転する少なくとも３つの排紙コロとを有し、該排紙コロのうちの中央部のコロには、前記排紙ローラと当接しない位置に突起部を形成するとともに、中央部のコロの摩擦係数より側端部のコロの摩擦係数を小さく形成した、ことを特徴とするものである。
【０００８】
請求項２記載の発明によれば、前記側端部のコロは、表面が滑らかに形成されている。
【０００９】
請求項３記載の発明によれば、前記突起部は、撓んでシート原稿になじみ易いように薄肉に形成されている。また、請求項４記載の発明によれば、前記中央部のコロはゴム製であり、前記突起部は該中央部のコロと一体で形成されている。
【００１０】
請求項５記載の発明によれば、前記排紙コロは、前記シート原稿の搬送方向の中央に対して左右対称に配設されている。
【００１１】
請求項６記載の発明に係る画像形成装置は、シート原稿の画像を読取る画像読取り手段と、該画像読取り手段によって画像が読み取られたシート原稿を排紙する請求項１乃至請求項５のいずれか１項に記載の排紙装置と、前記画像読取り手段が読み取った画像信号に基づいて画像形成する画像形成部とを備えたことを特徴とする。
【００１２】
［作用］
以上の構成に基づいて、駆動側の少なくとも３つの排紙ローラに圧接する排紙コロのうち側端部のコロに較べて摩擦係数の大きい中央部のコロによって確実にシート原稿を排紙し、中央部のコロの排紙ローラと当接しない位置に形成された突起によってシート原稿を押し出すとともに、摩擦係数の小さい側端部のコロによって排紙されたシートがコロに巻き込まれないようにする。
【００１３】
【発明の実施の形態】
以下、本発明の実施の形態を図面に基づいて詳細に説明する。
【００１４】
〈第１の実施の形態〉
図１は本発明の第１の実施の形態に係る画像形成装置を示す斜視図、図２は同上の画像形成装置の内部構成を示す概略構成図、図３は本発明の第１の実施の形態に係る排紙装置の要部を示す正面図、図４は図１に示す画像形成装置の原稿圧板を開いて原稿台ガラスを表示した状態の斜視図である。
【００１５】
［画像形成装置本体の全体構成］
画像形成装置本体１００は、図１に示すようにブック原稿およびシート原稿の画像面の画像情報を読取る画像読取り手段となるスキャナー部１３０を内部上方に配設し、このスキャナー部１３０より下方に画像形成手段となる画像形成部１０４を有したもので、さらに画像形成装置本体１００より下方の外部にシートデッキ１１２を装着させて構成されている。
【００１６】
前記スキャナー部１３０は、図２に示すように走査系光源１０８ｃ、原稿台ガラス１３０ａ、装置本体に対して開開可能な原稿圧板１０２、この原稿圧板１０２と一体に構成された自動原稿給送部１０６、原稿排紙トレイ１０９、ミラー台１０８ａ、レンズおよび受光素子（光電変換素子）１０８および画像処理部などを有して構成されている。そして、原稿台ガラス１３０ａ上に本や厚紙、カール紙などのブック原稿やシート原稿などを原稿面を下側にして載置し、原稿圧板１０２により背面を押圧して静止状態でセットし、図１に示す操作パネル１０５上の読取り開始キー（図示せず）を押すと、ミラー台１０８ａが原稿台ガラス１３０ａの下部を、図２の矢印１０８ｂ方向に走査して原稿面の画像情報を読取る。走査系光源１０８ｃからの光によって受光素子１０８で読み取られた原稿の画像情報は画像処理部によって処理され、電気信号に変換されてレーザースキャナ１１０に伝送される。
【００１７】
ここで、画像形成装置本体１００は、レーザースキャナ１１０に画像処理部の処理信号を入力すれば、複写機として機能し、パーソナルコンピュータの出力信号を入力すれば、プリンタとして機能する。また、他機のファクシミリ装置からの送信信号を入力したり、画像処理部の処理信号を他機のファクシミリ装置に送信すれば、ファクシミリ装置として機能する。
【００１８】
また、自動原稿給送部１０６は、原稿載置台１０２ｂ上に積載したシート原稿Ｓを１枚ずつ分離してシート読取部１０７に搬送する。シート原稿読取時にはミラー台１０８ａをシート読取部１０７の下に静止させた状態で読取りを行う。読取り後には、シート原稿Ｓは、排紙手段としての原稿排紙ローラ１０６ｈと排紙コロ１０６ｇとによって原稿排紙トレイ１０９上に排出される。
【００１９】
一方、画像形成部１０４の下部にはシートカセット給紙部１１８が装着されており、このシートカセット給紙部１１８は、カセット１１８ａを有する。そして、上方に位置する１つのカセット１１８ａは装置本体１００に対して着脱可能に取り付け、下方のカセット１１２ａはシートデッキ１１２に着脱可能に取り付けられている。
【００２０】
前記カセット１１２ａ，１１８ａ内に収容された記録シートＰ（図４参照）は、給送回転体となるピックアップローラ１１２ｃにより繰り出され、給送ローラ対１１２ｂにより１枚ずつ分離、給送された後、レジストローラ対１２４に導かれ、このレジストローラ対１２４によって画像形成動作に同期するようにして画像形成部１０４へと給送される。
【００２１】
画像形成部１０４は、電子写真感光体ドラム１１１ａ、レーザースキャナ１１０、現像器１１１ｃおよび転写帯電器１１１ｆなどを有している。そして、帯電部材１１１ｂにより一様に帯電された感光体ドラム１１１ａの表面にレーザースキャナ１１０から射出された画像情報に対応するレーザ光が潜像を形成し、この潜像に現像器１１１ｃによりトナー画像が形成されて、レジストローラ対１２４により感光体ドラム１１１ａの回転に同期して搬送された記録シートＰに転写帯電器１１１ｆにより記録シートＰの第１面にトナー画像が転写される。
【００２２】
１１５はトナー画像が形成された記録シートＰを搬送する搬送ベルト、１１６は定着装置、１１７は排出ローラである。トナー画像が形成された記録シートＰは搬送ベルト１１５により定着装置１１６に搬送されて、加熱および加圧されてトナー画像がシート表面に定着された後、排出ローラ１１７によって機外に配置された記録紙排紙トレイ１１３に排出、積載される。
【００２３】
なお、感光ドラム１１１ａ、帯電部材１１１ｂおよび現像器１１１ｃはトナー容器１１１ｄとともに一体のプロセスカートリッジ（以下、ＣＲＧという）１１１ｇを形成しており、トナー切れやドラム摩耗に伴うメンテナンス時にＣＲＧ１１１ｇごと交換できるようになっている。
【００２４】
画像形成部１０４はカセット給紙部１１８のうちのカセット１１８ａと記録紙排紙トレイ１１３とが装置本体１００の枠体に据え付けられ、残りの給送ローラ対１１２ｂ、レジストローラ対１２４、手差し用給紙部、ＣＲＧ１１１ｇ、搬送ベルト１１５、定着部１１６、排出ローラ１１７が一つのフレーム構造として纏められている。この引き出しフレームは、図４に示すようにレール部（図示せず）によって装置本体１００の枠体から引き出すことができるように支持されている。
【００２５】
次に、図３を用いて本発明の排紙装置を詳細に説明する。
【００２６】
本排紙装置は、図１、２に示すようにその上部にブック原稿およびシート原稿の画像面の画像情報を読取る画像読取り手段となるスキャナ部１３０を有し、その一部として原稿圧板１０２と一体に構成された自動原稿給送部１０６、原稿排紙トレイ１０９などが配置され、自動原稿給送部１０６には画像読取り後の排紙手段として駆動側の複数の原稿排紙ローラ１０６ｈと、この原稿排紙ローラ１０６ｈに圧接する従動側の排紙コロ１０６ｇとが備えられている。
【００２７】
本発明の特徴を排紙トレイ１０９側（図２の左側）から原稿排紙口を見た状態を表す図３を用いて説明すると、上側にシート原稿の搬送方向中央部にほぼ左右対称に配置された４個の原稿排紙ローラ１０６ｈを設け、この原稿排紙ローラ１０６ｈに圧接するように下側に排紙コロ１０６ｇを配設して排紙手段を構成し、排紙コロ１０６ｇは図示しない付勢手段によって排紙ローラ１０６ｈに押し付けられている。そして、シート原稿Ｓは原稿排紙ローラ１０６ｈと排紙コロ１０６ｇとの間を搬送されて排出される。
【００２８】
排紙コロ１０６ｇは２個の内側コロ１０６ｇ1 と２個の外側コロ１０６ｇ2 とを有し、内側コロ１０６ｇ1 の摩擦係数より外側コロ１０６ｇ2 の摩擦係数が小さく形成されるとともに、内側コロ１０６ｇ1 の排紙ローラ１０６ｈと圧接しない円周位置に薄肉の突起部１０６ｋが一体に突設されている。
【００２９】
すなわち、内側コロ１０６ｇ1 はゴム製のコロによって形成され、外側コロ１０６ｇ2 は内側コロ１０６ｇ1 と比較して摩擦係数の小さなモールド製で、円筒面は滑らかに突起がなく形成されている。
【００３０】
内側コロ１０６ｇ1 は、スキャナ部１３０で読取り可能な定型サイズのシート原稿の中で、最小幅サイズのシート原稿より内側に配置され、搬送性とシート原稿Ｓの後端の排出性を重視してモールドと比較して摩擦係数が大きい、ゴム製であり、薄肉で撓んでシート原稿Ｓになじみ易い突起部１０６ｋを一体に形成したものである。
【００３１】
外側コロ１０６ｇ２ は、スキャナ部１３０で読取ることが可能な定型サイズのシート原稿の種類を多くすると、外側コロ１０６ｇ２ の位置がシート原稿Ｓの側端部と重なってしまうことがあり、この場合、シート原稿の後端角部が引っ掛かって角折れが発生したり、ジャムが発生するのを防ぐために、表面が滑らかで突起部のないモールド製で形成されたものである。
【００３２】
そして、画像が読み取られたシート原稿Ｓがスキャナ部１３０を通過し、排紙手段に到達すると、排紙ローラ１０６ｈの回転に伴って排紙コロ１０６ｇが従動回転する。このため、排紙コロ１０６ｇの内側コロ１０６ｇ１ はその回転によってシート原稿Ｓの後端を押し出すことになり、確実に原稿排紙トレイ１０９上にシート原稿Ｓを排紙することになる。また、排紙コロ１０６ｇの外側に外側コロ１０６ｇ２ が設けられているために、原稿排紙トレイ１０９上に排紙されたシート原稿Ｓが巻き込まれることがなくなり、シート原稿Ｓの後端角部が引っ掛かって角折れが発生したり、ジャムが発生したりすることがなくなる。
【００３３】
本実施の形態では、シート原稿Ｓの後端角部が排紙コロ１０６ｇに巻き込まれないように中央部のコロの摩擦係数よりも側端部のコロの摩擦係数（材質）を小さくするとともに、中央部のコロの外周の排紙ローラと当接しない部分に突起部１０６ｋを設けた。これによりスキャナ部１３０より排出されたシート原稿Ｓを２種類以上の材質および形状を有する排紙コロ１０６ｇによって装置外部に排紙することを効果的に行うことができる。
【００３４】
なお、上述の実施の形態では、排紙手段として排紙ローラ１０６ｈと排紙コロ１０６ｇとを左右対称位置に４組配設した例で説明したが、これに限定されるものでなく、左右対称位置に６組以上の偶数組みを配設して構成してもよい。
【００３５】
また、本実施の形態として、排紙ローラ１０６ｈと排紙コロ１０６ｇとの排紙手段の組合せとして中央に１組配設し、左右対称位置に２組以上を配置した合計３組以上の奇数組で構成してもよい。
【００３６】
さらに、排紙コロ１０６ｇとして形状および材質の異なる２種類のコロを内外の中央側と側端部側とに配設した例で説明したが、形状および材質として３種類以上のコロを使用してもよい。
【００３７】
またさらに、第１の実施の形態では、排紙ローラ１０６ｈを上側に配設し、排紙コロ１０６ｇを下側に配設した例を説明したが、本発明は、これに限定されるものでなく、排紙ローラ１０６ｈと排紙コロ１０６ｇとの配置は上下逆であってもよい。
【００３８】
【発明の効果】
以上説明したように、本発明によれば、駆動側の少なくとも３つ以上の排紙ローラに圧接する排紙コロのうち中央部のコロに比べて側端部のコロの摩擦係数を小さくし、かつ中央部のコロの排紙ローラと当接しない位置に突起部を形成するようにしたので、画像読取り手段から排紙されたシート原稿を確実に、斜行を起こさず、排紙手段によって排紙することができる。
【図面の簡単な説明】
【図１】本発明の第１の実施の形態に係る画像形成装置を示す斜視図である。
【図２】同上の画像形成装置の内部構成を示す概略構成図である。
【図３】本発明の第１の実施の形態に係る排紙装置の要部を示す正面図である。
【図４】図１に示す画像形成装置の原稿圧板を開いて原稿台ガラスを表示した状態の斜視図である。
【符号の説明】
１０４        画像形成部
１０６ｈ      原稿排紙ローラ
１０６ｇ      排紙コロ
１０６ｇ1     中央部コロ（内側コロ）
１０６ｇ2     側端部コロ（外側コロ）
１０６ｋ      突起部
１３０        画像読取り手段（スキャナ部）
Ｓ        シート原稿
【図１】
0003679612.tif 000002
【図２】
0003679612.tif 000003
【図３】
0003679612.tif 000004
【図４】
0003679612.tif 000005